(57)【要約】【課題】アームレスト部材を好適に使用することができるコンソール装置を提供する。【解決手段】コンソール本体１１と、このコンソール本体１１に配置されるアームレスト部材８０と、を備える。アームレスト部材８０は、可動支持機構２１によって前後方向へスライド調整可能に、かつ上下方向へ高さ調整可能に支持されている。【選択図】図２
2015223850.tif 000002
【特許請求の範囲】
【請求項１】
コンソール本体と、このコンソール本体に設置されるアームレスト部材と、を備えたコンソール装置であって、
前記アームレスト部材は、可動支持機構によって前後方向へスライド調整可能に、かつ上下方向へ高さ調整可能に支持されていることを特徴とするコンソール装置。
【請求項２】
請求項１に記載のコンソール装置であって、
前記可動支持機構は、スライド用モータを駆動源として作動されるスライド機構によって前後方向へ移動調整可能に配設されたスライド部材と、このスライド部材に接続され、かつリフト用モータを駆動源として作動されるリフト機構によって上下方向へ高さ調整可能に配設されたリフト部材とを備え、
前記スライド部材と、前記リフト部材とのうち一方の部材に前記アームレスト部材が装着されていることを特徴とするコンソール装置。
【請求項３】
請求項２に記載のコンソール装置であって、
前記スライド機構は、前記コンソール装置の側方に隣接して配設されるシートのスライドに連動して作動されると共に、前記シートのスライド量よりも小さいスライド量で前記アームレスト部材をスライドする構成にしてあることを特徴とするコンソール装置。
【請求項４】
請求項２又は３に記載のコンソール装置であって、
前記リフト機構は、前記コンソール装置の側方に隣接して配設されるシートの昇降に連動して作動されると共に、前記シートの昇降量よりも小さい昇降量で前記アームレスト部材を昇降させる構成にしてあることを特徴とするコンソール装置。
【発明の詳細な説明】
【技術分野】
【０００１】
この発明は、シートの側方に隣接して配設される（例えば運転席と助手席との間に配設される）コンソール装置に関する。
【背景技術】
【０００２】
この種のコンソール装置においては、コンソール本体と、このコンソール本体に設置されるアームレスト部材と、を備えた構造のものがある。また、コンソール装置において、例えば、特許文献１に開示されているように、コンソールボックス本体を上下二段の分割ボックス体で構成し、両分割ボックス体のうち、下部側分割ボックス体を車両の床面に固定するとともに、下部側分割ボックス体に対して、上部側分割ボックス体を車両前後方向にスライド可能に設置した構造のものが知られている。
【先行技術文献】
【特許文献】
【０００３】
【特許文献１】特開２００３−１６５３８８号公報
【発明の概要】
【発明が解決しようとする課題】
【０００４】
ところで、コンソール装置に隣接するシートが、スライド機構において前後方向へスライド調整されたり、あるいはリスト機構において上下方向へ高さ調整されると、シートに着座している着座者がアームレスト部材を使用する場合、シートに対し、アームレスト部材が前後方向、あるいは上下方向へ相対的に移動することになる。このため、着座者がアームレスト部材を使用しずらくなる。
【０００５】
この発明の目的は、前記問題点に鑑み、アームレスト部材を好適に使用することができるコンソール装置を提供することである。
【課題を解決するための手段】
【０００６】
前記課題を解決するために、この発明の第１の発明に係るコンソール装置は、コンソール本体と、このコンソール本体に設置されるアームレスト部材と、を備えたコンソール装置であって、前記アームレスト部材は、可動支持機構によって前後方向へスライド調整可能に、かつ上下方向へ高さ調整可能に支持されていることを特徴とする。
【０００７】
第１の発明によると、可動支持機構によって、アームレスト部材が前後方向へスライド調整されると共に、上下方向へ高さ調整される。このため、シートに着座している着座者の肘の位置が前後方向及び／又は高さ方向に異なる場合においても、着座者はアームレスト部材を好適に使用することができる。
【０００８】
第２の発明に係るコンソール装置は、第１の発明のコンソール装置であって、前記可動支持機構は、スライド用モータを駆動源として作動されるスライド機構によって前後方向へ移動調整可能に配設されたスライド部材と、このスライド部材に接続され、かつリフト用モータを駆動源として作動されるリフト機構によって上下方向へ高さ調整可能に配設されたリフト部材とを備え、前記スライド部材と、前記リフト部材とのうち一方の部材に前記アームレスト部材が装着されていることを特徴とする。
【０００９】
第２の発明によると、スライド用モータを駆動源とするスライド機構によってスライド部材が前後方向へ移動調整され、リフト用モータを駆動源とするリフト機構によってリフト部材が上下方向へ高さ調整される。これによって、アームレスト部材の前後方向へのスライド調整と、上下方向への高さ調整が容易となる。
【００１０】
この発明の第３の発明に係るコンソール装置は、第２の発明のコンソール装置であって、前記スライド機構は、前記コンソール装置の側方に隣接して配設されるシートのスライドに連動して作動されると共に、前記シートのスライド量よりも小さいスライド量で前記アームレスト部材をスライドする構成にしてあることを特徴とする。
【００１１】
第３の発明によると、シートが前後方向へスライド調整されると、これに連動してアームレスト部材が前後方向へスライド調整される。このため、例えば、体格が大きい着座者がシートを後方向へスライド調整したときに、シートの後方向へのスライドとは個別にアームレスト部材を後方へスライド調整する必要がなく、使い勝手に優れる。さらに、体格が大きい着座者がシートを後方向へスライド調整した場合の後方へのスライド量と、体格が小さい着座者がシートを前方向へスライド調整した場合の前方へのスライド量とを加えたシートの前後方向へのスライド量に対し、体格が大きい着座者の肘の位置と、体格が小さい着座者の肘の位置との距離寸法は統計的に小さい。このため、アームレスト部材が、シートのスライド量よりも小さいスライド量で前後方向へスライド調整されることで、体格の大小に応じた前後位置にアームレスト部材を配置することが可能となる。
【００１２】
この発明の第４の発明に係るコンソール装置は、第２又は３の発明のコンソール装置であって、前記リフト機構は、前記コンソール装置の側方に隣接して配設されるシートの昇降に連動して作動されると共に、前記シートの昇降量よりも小さい昇降量で前記アームレスト部材を昇降させる構成にしてあることを特徴とする。
【００１３】
第４の発明によると、シートが上下方向へ高さ調整されると、これに連動してアームレスト部材が上下方向へ高さ調整される。このため、例えば、体格が大きい着座者がシートを下方向へ高さ調整したときに、シートの下降とは個別にアームレスト部材を下方へ高さ調整する必要がなく、使い勝手に優れる。さらに、体格が大きい着座者がシートを下方へ高さ調整した場合の下降量と、体格が小さい着座者がシートを上方向へ高さ調整した場合の上昇量とを加えたシートの上下方向への昇降量に対し、体格が大きい着座者の肘の位置と、体格が小さい着座者の肘の位置との高さ寸法は統計的に小さい。このため、アームレスト部材が、シートの上下方向への昇降量よりも小さい昇降量で高さ調整されることで、体格の大小に応じた高さ位置にアームレスト部材を配置することが可能となる。
【図面の簡単な説明】
【００１４】
【図１】この発明の実施例１に係るコンソール装置がシートの車室側の側方に隣接して配設された状態を示す斜視図である。
【図２】コンソール装置の側面図である。
【図３】コンソール本体内に配置されるアームレスト部材の可動支持機構を示す斜視図である。
【図４】リフト部材を取り外した状態のアームレスト部材の可動支持機構を示す斜視図である。
【図５】アームレスト部材が後退端位置で、かつ下降端位置に配置された状態の可動支持機構を示す側面図である。
【図６】アームレスト部材が前進端位置で、かつ上昇端位置に配置された状態の可動支持機構を示す側面図である。
【発明を実施するための形態】
【００１５】
この発明を実施するための形態について実施例にしたがって説明する。
【実施例１】
【００１６】
この発明の実施例１を図面にしたがって説明する。図１と図２に示すように、シート１の車室側側方に隣接して配設される（例えば運転席と助手席との間に配設される）コンソール装置は、コンソール本体１１と、可動支持機構２１と、アームレスト部材８０とを備える。コンソール本体１１は、前後方向に長い箱形状に形成され、その後部寄り部分には上方に開口する収納空間１２が形成されている。また、この実施例１において、アームレスト部材８０は、ボックス体８１と、蓋体８２とを有して構成されている。
【００１７】
ボックス体８１は、コンソール本体１１の収納空間１２に対し前後方向へスライド可能に、かつ上下方向へ高さ調整可能に収納される大きさの有底箱形状に形成されると共に、その底板部下面が可動支持機構２１によって、前後方向へスライド調整可能に、かつ上下方向へ高さ調整可能に支持されている。そして、ボックス体８１の上端開口部には、蓋体８２が開閉可能に装着されている。
【００１８】
図３と図４に示すように、可動支持機構２１は、スライド機構２２と、スライド部材３０と、スライド用駆動機構４０と、リフト部材５０と、リフト機構６０と、リフト用駆動機構７０とを備えている。この実施例１において、コンソール本体１１の収納空間の底部には、ベース部材２０が固定されており、このベース部材２０上には、スライド機構２２によってスライド部材３０が前後方向へスライド可能に配設されている。また、スライド機構２２は、ベース部材２０の上面の左右部に対し、前後方向に延びて平行状に固定された左右一対の固定レール２３と、これら固定レール２３に沿ってスライド可能にスライド部材３０の左右部に配設されたスライド体２４とを有して構成されている。
【００１９】
図４〜図６に示すように、スライド部材３０を駆動するスライド用駆動機構４０は、スライド部材３０上面の後寄り部分に装着されたスライド用モータ４１と、このスライド用モータ４１を駆動源とし、かつスライド部材３０の上面に固定されたユニットケース４６内の駆動プーリ（図示しない）と、この駆動プーリに一端部が留められ、他端部がベース部材２０の前端のワイヤ留め体２５に留められた第１のワイヤ４７と、駆動プーリに一端部が留められ、他端部がベース部材２０の後端のワイヤ留め体２６に留められた第２のワイヤ４８と、を有している。そして、スライド用モータ４１の作動（例えば正転）によって、駆動プーリが設定方向へ回転することによって、第１のワイヤ４７が巻き取られ、第２のワイヤ４８が引き出されることで、スライド部材３０が前方へスライド調整される。これとは逆に、スライド用モータ４１の作動（例えば逆転）によって駆動プーリが反対方向へ回転することによって、第２のワイヤ４８が巻き取られ、第１のワイヤ４７が引き出されることで、スライド部材３０が後方へスライド調整される。
【００２０】
図４〜図６に示すように、スライド部材３０の上方には、リフト機構６０に連結された状態でリフト部材５０が上下方向へ高さ調整可能に配設されている。この実施例１において、リフト機構６０は、左右一対をなし、かつそれぞれ連結ピン６３によってＸ字状に連結された第１リンク６１と第２リンク６２とを有するリンク機構によって構成されている。すなわち、第１リンク６１は、その後端部がピン６４によってスライド部材３０の側板部３２に連結され、第１リンク６１の前端部がピン６６と長孔６７によってリフト部材５０の側板部５２に連結されている。また、第２リンク６２は、その後端部がピン６５によってリフト部材５０の側板部５２に連結され、第２リンク６２の前端部が連動軸６８と長孔６９によってスライド部材３０の側板部３２に連結されている。
【００２１】
リフト部材５０を駆動するリフト用駆動機構７０は、図４に示すように、スライド部材３０上面の前寄り部分に装着されたリフト用モータ７１と、このスライド用モータ４１の出力軸の回転が動力変換ユニット７２によって変換されて前後方向へ駆動される駆動ロッド７３と、を有している。また、駆動ロッド７３の先端部が連結体７４によって連動軸６８に連結されている。そして、リフト用モータ７１の作動によって動力変換ユニット７２を介して駆動ロッド７３が前後方向へ移動されることで、第２リンク６２の連動軸６８が長孔６９に沿って移動されることで、リフト部材５０が上下方向へ高さ調整される。
【００２２】
また、この実施例１において、スライド用モータ４１は、コンソール装置の車内側側方に隣接して配設されるシート１のスライドに連動して作動される。さらに、リフト用モータ７１においても、シート１の昇降に連動して作動される。
【００２３】
また、体格が大きい着座者がシート１を後方向へスライド調整した場合の後方へのスライド量と、体格が小さい着座者がシート１を前方向へスライド調整した場合の前方へのスライド量とを加えたシート１の前後方向へのスライド量に対し、体格が大きい着座者の肘の位置と、体格が小さい着座者の肘の位置との距離寸法は統計的に小さい。さらに、体格が大きい着座者がシート１を下方へ高さ調整した場合の下降量と、体格が小さい着座者がシート１を上方向へ高さ調整した場合の上昇量とを加えたシート１の上下方向への昇降量に対し、体格が大きい着座者の肘の位置と、体格が小さい着座者の肘の位置との高さ寸法は統計的に小さい。このようなことから、スライド用モータ４１は、シート１のスライドに連動して作動されると共に、シート１のスライド量よりも小さいスライド量でアームレスト部材８０（ボックス体８１）をスライドするように、制御装置によって作動制御されるように設定されることが望ましい。さらに、リフト用モータ７１においても、シート１の昇降量よりも小さい昇降量でアームレスト部材８０（ボックス体８１）を昇降させるように、制御装置によって作動制御されるように設定されることが望ましい。
【００２４】
また、シート１に着座している着座者が、シート１及びコンソール装置の可動支持機構２１を作動操作できるように、図１に示すように、シート１のシートクッション２の側部に対し、４ウエーのスイッチ操作部材５を配設することが望ましい。この場合、例えば、スイッチ操作部材５を前方へ操作したときに、シート１を前方へスライド調整すると共に、このシート１の前方へのスライド調整に連動してスライド用モータ４１を作動制御し、アームレスト部材８０を前方へスライド調整する。また、スイッチ操作部材５を後方へ操作したときに、シート１を後方へスライド調整すると共に、このシート１の後方へのスライド調整に連動してスライド用モータ４１を作動制御し、アームレスト部材８０を後方へスライド調整する。
【００２５】
また、スイッチ操作部材５を上方へ操作したときに、シート１を上方へ高さ調整すると共に、このシート１の上方への高さ調整に連動してリフト用モータ７１を作動制御し、アームレスト部材８０を上方へ高さ調整する。また、スイッチ操作部材５を下方へ操作したときに、シート１を下方へ高さ調整すると共に、このシート１の下方への高さ調整に連動してリフト用モータ７１を作動制御し、アームレスト部材８０を下方へ高さ調整する。
【００２６】
なお、シート１のリフト機構が四節のリンク機構によって構成され、シート１の上下方向への高さ調整に伴ってシート１が前後方向へ変位する場合には、スイッチ操作部材５を上方（又は下方）へ操作したときに、このシート１の上方（又は下方）への高さ調整（前後方向へも変位する）に連動して、リフト用モータ７１及びスライド用モータ４１を作動制御し、アームレスト部材８０を上方（又は下方）へ高さ調整すると共に、シート１の前後方向への変位に対応してアームレスト部材８０を前後方向へ変位（スライド）させることが望ましい。
【００２７】
また、シート１に着座している着座者が、シート１とは個別にコンソール装置のスライド用モータ４１及びリフト用モータ７１を作動操作して、アームレスト部材８０のスライド及び昇降の微調整ができるように、コンソール本体１１又はボックス体８１の前方張出部８４に対し、コンソール装置専用の操作部材８５を配設することが望ましい（図１参照）。
【００２８】
この実施例１に係るコンソール装置は上述したように構成される。したがって、可動支持機構２１によって、アームレスト部材８０が前後方向へスライド調整されると共に、上下方向へ高さ調整される。このため、シート１に着座している着座者の肘の位置が前後方向及び／又は高さ方向に異なる場合においても、着座者はアームレスト部材８０を好適に使用することができる。
【００２９】
また、この実施例１において、可動支持機構２１は、スライド機構２２と、スライド部材３０と、スライド用駆動機構４０と、リフト部材５０と、リフト機構６０と、リフト用駆動機構７０とを備えている。そして、スライド用駆動機構４０のスライド用モータ４１をスイッチ操作（スイッチ操作部材５による操作）によって作動し、スライド機構２２を動かすことで、スライド部材３０が前後方向へスライド調整される。さらに、リフト用駆動機構７０のリフト用モータ７１をスイッチ操作（スイッチ操作部材５による操作）によって作動し、リフト機構６０を動かすことで、リフト部材５０が上下方向へ高さ調整される。このようにして、アームレスト部材８０を、前後方向へ容易にスライド調整することができる共に、上下方向へ容易に高さ調整することができる。
【００３０】
また、この実施例１において、シート１が前後方向へスライド調整されると、これに連動してアームレスト部材８０が前後方向へスライド調整される。このため、例えば、体格が大きい着座者がシート１を後方向へスライド調整したときに、シート１の後方向へのスライドとは個別にアームレスト部材８０を後方へスライド調整する必要がなく、使い勝手に優れる。さらに、アームレスト部材８０が、シート１のスライド量よりも小さいスライド量で前後方向へスライド調整されることで、体格の大小に応じた前後位置にアームレスト部材８０を配置することが可能となる。
【００３１】
また、この実施例１において、シート１が上下方向へ高さ調整されると、これに連動してアームレスト部材８０が上下方向へ高さ調整される。このため、例えば、体格が大きい着座者がシート１を下方向へ高さ調整したときに、シート１の下降とは個別にアームレスト部材８０を下方へ高さ調整する必要がなく、使い勝手に優れる。さらに、アームレスト部材８０が、シート１の上下方向への昇降量よりも小さい昇降量で高さ調整されることで、体格の大小に応じた高さ位置にアームレスト部材８０を配置することが可能となる。
【００３２】
なお、この発明は前記実施例１に限定するものではなく、この発明の要旨を逸脱しない範囲内において、種々の形態で実施することができる。例えば、前記実施例１においては、スライド部材３０の上方にリフト部材５０が配置され、リフト部材５０にアームレスト部材８０（ボックス体８１）が装着される場合を例示したが、リフト部材の上方にスライド部材が配置され、スライド部材にアームレスト部材８０（ボックス体８１）が配置されてもよい。また、前記実施例１においては、可動支持機構２１が、スライド機構２２とリフト機構６０とを備える場合を例示したが、前後方向へのスライド動作に伴って上下方向へも変位されるカム機構を用いることも可能である。また、前記実施例１においては、アームレスト部材８０が、ボックス体８１と、蓋体８２とを有して構成される場合を例示したがアームレスト部材がボックス機能を有していなくてもこの発明を実施することができる。
【符号の説明】
【００３３】
１  シート
１１  コンソール本体
２１  可動支持機構
２２  スライド機構
４０  スライド用駆動機構
４１  スライド用モータ
６０  リフト機構
７０  リフト用駆動機構
７１  リフト用モータ
８０  アームレスト部材
８１  ボックス体
８２  蓋体
【図１】
2015223850.tif 000003
【図２】
2015223850.tif 000004
【図３】
2015223850.tif 000005
【図４】
2015223850.tif 000006
【図５】
2015223850.tif 000007
【図６】
2015223850.tif 000008